(57)【要約】【課題】複数の情報記録再生複合装置間をケースなどが移動した場合に管理情報の相違が発生しない情報記録再生複合装置を提供する。【解決手段】情報記録再生複合装置１００は、単数枚または複数枚の記録媒体１２ａ〜ｍを収納する単数個または複数個のケース１０ａ〜ｎと、ケース内に収納される記録媒体にデータの読み書きを行う記録媒体と同数の光ディスクドライブ１２０ａ〜ｍと、ケースが装着された際にケース内に記録された第１のケースＩＤ２１および第１の装置ＩＤ２２を取得する格納情報取得部１４３と、第１の装置ＩＤと自らのＩＤである第２の装置ＩＤ１５２とが一致しなければ、第１の装置ＩＤに該当する装置から第１のケースＩＤに該当するケースの管理情報を取得する管理情報取得部１４６とを有する。【選択図】図３
2010003337.tif 000002
【特許請求の範囲】
【請求項１】
単数枚または複数枚の記録媒体を収納する単数個または複数個のケースを装着可能な情報記録再生複合装置であって、
前記ケース内に収納される前記記録媒体にデータの読み書きを行うディスクドライブと、
前記ケースが装着された際に前記ケース内に記録された第１のケースＩＤおよび第１の装置ＩＤを取得する格納情報取得部と、
前記第１の装置ＩＤと自らのＩＤである第２の装置ＩＤとが一致しない場合、前記第１の装置ＩＤに該当する装置から前記第１のケースＩＤに該当する管理情報を取得する管理情報取得部と
を有することを特徴とする情報記録再生複合装置。
【請求項２】
前記第１のケースＩＤと、前記第１のケースＩＤに該当する管理情報とを対応づけて記憶する記憶手段を有することを特徴とする、請求項１に記載の情報記録再生複合装置。
【請求項３】
前記ケース内に収納される記録媒体にデータの書き込みを行う際、前記ケース内に記録された前記第１の装置ＩＤを前記第２の装置ＩＤと同内容に書き換える装置ＩＤ更新部を有することを特徴とする、請求項２に記載の情報記録再生複合装置。
【請求項４】
前記ケース内に収納される記録媒体にデータの書き込みを行う際、前記データに関する管理情報を前記記録媒体に記録すると同時に、前記記憶手段に前記管理情報を前記第１のケースＩＤと対応づけて記憶する管理情報更新部を有することを特徴とする、請求項２に記載の情報記録再生複合装置。
【請求項５】
前記第１の装置ＩＤと前記第２の装置ＩＤとが一致せず、かつ前記第１の装置ＩＤに該当する装置から前記第１のケースＩＤに該当するケースの管理情報が取得できない場合、前記管理情報取得部が前記ケース内に記録された管理情報を取得することを特徴とする、請求項２に記載の情報記録再生複合装置。
【請求項６】
前記管理情報取得部は、他の情報記録再生複合装置から第２のケースＩＤに該当するケースの管理情報を要求された場合、前記記憶手段から前記第２のケースＩＤを検索し、前記記憶手段に前記第２のケースＩＤが記憶されていれば前記第２のケースＩＤに該当する管理情報を前記要求の発信元の情報記録再生複合装置に返信することを特徴とする、請求項２に記載の情報記録再生複合装置。
【請求項７】
前記ケースのうち任意の１つを搬送し、前記搬送されたケース内に収納された記録媒体を前記光ディスクドライブに装着する搬送手段を有することを特徴とする、請求項２に記載の情報記録再生複合装置。
【請求項８】
前記格納情報取得部が、前記ケースが前記記録媒体とは別に有する不揮発性記憶手段であるメモリから前記第１のケースＩＤおよび第１の装置ＩＤを取得することを特徴とする、請求項２に記載の情報記録再生複合装置。
【請求項９】
前記格納情報取得部が、前記第１のケースＩＤおよび第１の装置ＩＤを前記記録媒体から取得することを特徴とする、請求項２に記載の情報記録再生複合装置。
【請求項１０】
前記ケースを複数個収納したカートリッジを装着可能であることを特徴とする、請求項２に記載の情報記録再生複合装置。
【請求項１１】
単数枚または複数枚の記録媒体を収納する単数個または複数個のケースを装着可能で、前記ケース内に収納される前記記録媒体にデータの読み書きを行うディスクドライブを有する情報記録再生複合装置にあって、前記ケースの管理情報を取得する方法であって、
前記ケースが装着された際に前記ケース内に記録された第１のケースＩＤおよび第１の装置ＩＤを取得し、
前記第１の装置ＩＤと前記情報記録再生複合装置のＩＤである第２の装置ＩＤとが一致するか否かを判断し、
前記第１の装置ＩＤと前記第２の装置ＩＤとが一致しない場合、前記第１の装置ＩＤに該当する装置から前記第１のケースＩＤに該当する管理情報を取得する
ことを特徴とする管理情報の取得方法。
【請求項１２】
単数枚または複数枚の記録媒体を収納する単数個または複数個のケースを装着可能で、前記ケース内に収納される前記記録媒体にデータの読み書きを行うディスクドライブを有する情報記録再生複合装置を制御するコンピュータに、
前記ケースが装着された際に前記ケース内に記録された第１のケースＩＤおよび第１の装置ＩＤを取得する処理と、
前記第１の装置ＩＤと前記情報記録再生複合装置のＩＤである第２の装置ＩＤとが一致するか否かを判断する処理と、
前記第１の装置ＩＤと前記第２の装置ＩＤとが一致しない場合、前記第１の装置ＩＤに該当する装置から前記第１のケースＩＤに該当する管理情報を取得する処理と
を実行させることを特徴とする管理情報の取得プログラム。
【発明の詳細な説明】
【技術分野】
【０００１】
本発明は情報記録媒体搬送手段を備える情報記録再生複合装置に関し、特に該装置においての情報記録媒体に記録された内容の管理に関する。
【背景技術】
【０００２】
個人情報保護法や日本版ＳＯＸ法といった法規制とそれに伴う内部統制、あるいは大規模災害時の事業継続性確保といった観点から、バックアップの重要性が改めて認識されている。そのような大容量のデータのバックアップを目的とした、複数枚の情報記録媒体に情報を記憶させる情報記録再生複合装置がある。
【０００３】
情報記録再生複合装置は、情報記録媒体への情報の書き込み及び情報記録媒体からの情報の読み出しを行う光ディスクドライブと、複数枚の情報記録媒体を収容するケースと、光ディスクドライブとケースとの間で情報記録媒体を搬送する情報記録媒体搬送手段とを備える。情報記録再生複合装置は、合計容量が数十〜数百テラバイトとなる数百枚のディスク（情報記録媒体）を収容するケースを複数台備え、これによって大容量のバックアップが可能である。
【０００４】
情報記録再生複合装置は、通常のコンピュータ装置であるファイルサーバ装置に接続されている。ファイルサーバ装置は、ＨＤＤ（Hard Disk Drive）で構成される高速記憶装置を含む。ファイルサーバ装置は、ＬＡＮ（Local Area Network）に接続され、同じくＬＡＮに接続されるクライアント端末からのユーザの指示に基づいて、情報記録再生複合装置との間で情報の送受信を行う。
【０００５】
図１４は、従来技術に係る情報記録再生複合装置８００の構成を示す概念図である。情報記録再生複合装置８００には、ｎ台のケース８１０ａ〜８１０ｎと、ｍ台のディスクドライブ８２０ａ〜８２０ｍ、およびケース８１０ａ〜８１０ｎの各々に関する管理情報を記憶するＨＤＤ８３０とを備える。ｍおよびｎは２以上の自然数であり、ｍはｎと等しくてもそうでなくてもよい。
【０００６】
たとえばケース８１０ａ〜８１０ｎの中の一つであるケース８１０ａには、自らの管理情報を記憶するメモリ８１１ａと、ｍ枚の情報記録媒体であるディスク８１２ａ１〜８１２ａｍが内蔵されている。ケース８１０ａが搬送手段（図示せず）によってディスクドライブ８２０ａ〜８２０ｍに装着されると、ディスク８１２ａ１〜８１２ａｍが各々ディスクドライブ８２０ａ〜８２０ｍに読み込まれ、各々のディスクに対するデータの読み書きが可能となる。それと同時に、メモリ８１１ａに記録されたケース８１０ａの管理情報がＨＤＤ８３０に読み込まれる。
【０００７】
各々のディスクに読み書きされるデータを、ここではコンテンツと管理情報に分ける。コンテンツは、本来記録しなければならない情報の本体である。管理情報は、記録されたコンテンツを管理するための、たとえば情報記録媒体固有のシリアルＩＤ、情報記録媒体に記録されたコンテンツの名前、検索用に用いられるキーワード、情報記録媒体のどの部分に記録されているのかのアドレス情報、記録日時、情報記録媒体に記録されたコンテンツのサイズ、などのような情報である。
【０００８】
ディスク８１２ａ１〜８１２ａｍに対してコンテンツが読み書きされることに伴って、管理情報の内容も変化する。変化した管理情報は、メモリ８１１ａとＨＤＤ８３０の両方に記録される。以上、ケース８１０ａだけでなく、他のケース８１０ｂ〜８１０ｎについても同様である。情報記録再生複合装置８００では、搬送手段によってケース８１０ａ〜８１０ｎのうちのいずれかをディスクドライブ８２０ａ〜８２０ｍに装着し、また他のケースに交換することができる。
【０００９】
ＨＤＤ８３０は、ケース８１０ａ〜８１０ｎの全ての管理情報を記憶している。つまり、ＨＤＤ８３０はどのケースのどのディスクに何が記録されているのかを完全に把握しているのである。そのため、ユーザが要求した情報に対して、該情報が記録されているディスクがどのケースに入っているかを判断し、該ディスクをディスクドライブに装着して、その情報を読み出すことが可能である。
【００１０】
このような情報記録再生複合装置についての文献として、特許文献１がある。特許文献１に記載のオートチェンジャシステム（情報記録再生複合装置）は、ディスクを収容したマガジン（ケース）がメモリＩＣを備えており、該メモリＩＣにマガジンの管理番号を記録し、これによって該マガジンの利用状況をホストコンピュータで管理することが可能である。
【００１１】
【特許文献１】特開２０００−２６００９７号公報
【発明の開示】
【発明が解決しようとする課題】
【００１２】
情報記録再生複合装置が複数台存在する環境で、ケースが該装置間を人手もしくは機械的に移動する場合がある。また、使用する頻度が少ないデータを記録したケースを情報記録再生複合装置から抜き取って倉庫などで保管し、そのかわりにデータの記録されていないディスクを内蔵したケースを装着する場合もある。この場合も、情報記録再生複合装置と倉庫との間でケースもしくはディスクが人手もしくは機械的に移動することになる。
【００１３】
図１５は、複数台の図１４に示した情報記録再生複合装置８００と９００との間でケースが移動する例を示す概念図である。情報記録再生複合装置８００は、図１４で説明した通りの構成を有する。情報記録再生複合装置９００には、情報記録再生複合装置８００から取り外されて情報記録再生複合装置９００に取り付けられたケース８１０ａがある。情報記録再生複合装置９００は、その点以外は情報記録再生複合装置８００と同一の構成を有するので、同一の構成要素には参照番号を各々＋１００として説明を省略する。
【００１４】
ケース８１０ａに情報記録再生複合装置８００に取り付けられていた段階では、メモリ８１１ａには管理情報Ａ１が記録されていた。管理情報Ａ１はＨＤＤ８３０にも記録されている。ここでケース８１０ａを情報記録再生複合装置８００から取り外し、情報記録再生複合装置９００に取り付けた。この段階で、メモリ８１１ａに記録されていた管理情報Ａ１が、情報記録再生複合装置９００に読み出されてＨＤＤ９３０にも記録される。
【００１５】
その後、ケース８１０ａに対してコンテンツの書き込みを行い、メモリ８１１ａおよびＨＤＤ９３０に記録されていた管理情報はＡ１→Ａ２に書き換えられた。ここでケース８１０ａを情報記録再生複合装置９００から取り外し、情報記録再生複合装置８００に再び取り付けると、メモリ８１１ａに記録されている管理情報はＡ２であるのに対し、ＨＤＤ８３０に記録されている管理情報はＡ１である。このようなメモリ８１１ａとＨＤＤ８３０との間の管理情報の相違により、ユーザに対して要求と異なった情報を提供してしまう可能性すらある。
【００１６】
このような管理情報の相違は、情報記録再生複合装置間をケースが移動する場合だけでなく、複数台のケースをひとまとめにしたカートリッジが移動する場合にも起こりうる。また、ある情報記録再生複合装置から取り外されたケース（もしくはカートリッジ）が倉庫で保管された後、別の情報記録再生複合装置に移動した場合にも起こりうる。図１４〜１５に示した例では、メモリ８１１ａに管理情報が記録されているが、ケース８１０ａ内のディスクに管理情報が記録されていてもこの問題は起こりうる。
【００１７】
特許文献１のオートチェンジャシステムでは、このような複数の情報記録再生複合装置間をケースなどが移動した場合についての想定が無く、従って管理情報の相違の発生を止めることができない。また特許文献１の装置で、１つのホストコンピュータが複数のオートチェンジャシステムを管理していると仮定したとしても、ホストコンピュータの側に管理情報を管理する手段が必要であるので、汎用性に欠ける高コストの装置となり、またホストコンピュータがダウンすれば全ての管理情報が失われるリスクもある。
【００１８】
本発明の目的は、複数の情報記録再生複合装置間をケースなどが移動した場合に発生する管理情報の相違による不都合を有効に回避しうる情報記録再生複合装置、管理情報の取得方法およびプログラムを提供することにある。
【課題を解決するための手段】
【００１９】
上記目的を達成するため、本発明に係る情報記録再生複合装置は、単数枚または複数枚の記録媒体を収納する単数個または複数個のケースと、ケース内に収納される記録媒体にデータの読み書きを行う記録媒体と同数の光ディスクドライブと、ケースが装着された際にケース内に記録された第１のケースＩＤおよび第１の装置ＩＤを取得する格納情報取得部と、第１の装置ＩＤと自らのＩＤである第２の装置ＩＤとがしない場合に、第１の装置ＩＤに該当する装置から第１のケースＩＤに該当するケースの管理情報を取得する管理情報取得部とを有することを特徴とする。
【００２０】
上記目的を達成するため、本発明に係る管理情報の取得方法は、単数枚または複数枚の記録媒体を収納する単数個または複数個のケースと、ケース内に収納される記録媒体にデータの読み書きを行う記録媒体と同数の光ディスクドライブを有する情報記録再生複合装置にあって、ケースの管理情報を取得する方法であって、ケースが装着された際にケース内に記録された第１のケースＩＤおよび第１の装置ＩＤを取得し、第１の装置ＩＤと情報記録再生複合装置のＩＤである第２の装置ＩＤとが一致するか否かを判断し、第１の装置ＩＤと第２の装置ＩＤとが一致しない場合、第１の装置ＩＤに該当する装置から第１のケースＩＤに該当するケースの管理情報を取得することを特徴とする。
【００２１】
上記目的を達成するため、本発明に係る管理情報の取得プログラムは、単数枚または複数枚の記録媒体を収納する単数個または複数個のケースと、ケース内に収納される記録媒体にデータの読み書きを行う記録媒体と同数の光ディスクドライブを有する情報記録再生複合装置を制御するコンピュータに、ケースが装着された際にケース内に記録された第１のケースＩＤおよび第１の装置ＩＤを取得する処理と、第１の装置ＩＤと情報記録再生複合装置のＩＤである第２の装置ＩＤとが一致するか否かを判断する処理と、第１の装置ＩＤと第２の装置ＩＤとが一致しない場合、第１の装置ＩＤに該当する装置から第１のケースＩＤに該当するケースの管理情報を取得する処理とを実行させることを特徴とする。
【発明の効果】
【００２２】
本発明は、ケース内に記録された装置ＩＤと、装置自身の装置ＩＤとを比較して、一致しなければ外部から管理情報を取得するように構成したので、他の装置で使用されたケースについても正しい管理情報を得ることができる。これによって、複数の情報記録再生複合装置間をケースなどが移動した場合に発生する管理情報の相違による不都合を有効に回避しうるという、従来にない優れた情報記録再生複合装置、管理情報の取得方法およびプログラムを提供することができる。
【発明を実施するための最良の形態】
【００２３】
［第１の実施の形態］
図１は、本発明の第１の実施の形態に係る情報記録再生複合装置１００（後述）で使用されるケース１０の構成を示す概念図である。複数の情報記録再生複合装置間で移動可能なケース１０は、メモリ１１を内蔵し、情報記録媒体であるｍ枚のディスク１２ａ〜１２ｍを収容している。ｍは自然数（典型的には２以上の自然数）である。
【００２４】
ディスク１２ａ〜１２ｍは、ここでは光ディスクであるものとして以後の説明を行うが、本実施の形態は光ディスク以外の情報記録媒体にも適用できる。またケース１０は、各々のディスク１２ａ〜１２ｍをケース１０から取り出し可能な取り出し口１３ａ〜１３ｍを有する。以後、たとえば「ケース１０内のディスク１２ａ〜１２ｍからデータを読み取る」ことを、便宜上「ケース１０からデータを読み取る」という。また、「ディスク１２ａ〜１２ｍにデータを書き込む」ことを、便宜上「ケース１０にデータを書き込む」という。他のケースおよびカートリッジ（後述）についても同様である。
【００２５】
メモリ１１には、複数のケースを一意に識別するケースＩＤと、ディスク１２ａ〜１２ｍに対してコンテンツの記録および再生を行った最新の情報記録再生複合装置１００を識別する装置ＩＤとが記録されている。メモリ１１は、不揮発性の記憶装置であればその種類は特に問わない。また、情報記録再生複合装置１００との間の接続方法も任意である。たとえばＲＦＩＤ、フラッシュメモリ、小型磁気ディスクなどを利用することができる。また、図１ではメモリ１１がケース１０の表面に貼り付けられている形になっているが、メモリ１１のケース１０での配置はこの形には限定されない。
【００２６】
ディスク１２ａ〜１２ｍには、コンテンツと管理情報とが記録される。この管理情報は、ディスク１２ａ〜１２ｍに関する管理情報と、ディスク１２ａ〜１２ｍに記録されているコンテンツに関する管理情報とがある。前者は、ディスク１２ａ〜１２ｍの製造時に割り振られた固有のＩＤである。後者は、ディスク１２ａ〜１２ｍに記録されたコンテンツの、名前、検索用に用いられるキーワード、いずれのディスクのどの部分に記録されているのかを示すアドレス情報、記録日時、サイズ情報などである。ケース１０に全くコンテンツが記録されていない状態では、管理情報は前者のみになる。以後、特に明記しない限り、この前者と後者とを総称して管理情報という。なお、管理情報をディスク１２ａ〜１２ｍではなくメモリ１１に記録するようにすることもできる。
【００２７】
図２は、本発明の第１の実施の形態に係る情報記録再生複合装置１００の構成を示す概念図である。情報記録再生複合装置１００は、図１で示したケース１０をｎ個内蔵している。これらを各々ケース１０ａ、１０ｂ、…１０ｎという。また、各々のケースに内蔵されたメモリを、それぞれメモリ１１ａ、１１ｂ、…１１ｎという（図２には示していない）。なお、ｎは自然数（典型的には２以上の自然数）であり、ｎは前述のｍ（ケース１０に内蔵されるディスクの枚数）と等しくてもそうでなくてもよい。
【００２８】
情報記録再生複合装置１００は、ｎ個のケース１０ａ〜１０ｎと、各々のケースに内蔵されたｍ枚のディスク１２ａ〜１２ｍに対してコンテンツの読み書きを行う光ディスクドライブ１２０ａ〜１２０ｍと、ｎ個のケース１０ａ〜１０ｎの中から任意の一つを光ディスクドライブ１２０ａ〜１２０ｍ付近に搬送するケース搬送手段１０１と、ケース搬送手段１０１によって運ばれてきたケースからディスク１２ａ〜１２ｍを取り出して光ディスクドライブ１２０ａ〜１２０ｍに装着するディスク搬送手段１０２とを有する。
【００２９】
ディスク搬送手段１０２は、光ディスクドライブ１２０ａ〜１２０ｍに装着されていたディスク１２ａ〜１２ｍを元のケースに戻す機能も有する。またケース搬送手段１０１は、光ディスクドライブ１２０ａ〜１２０ｍからディスク１２ａ〜１２ｍを戻されたケースを元の位置に戻す機能も有する。
【００３０】
情報記録再生複合装置１００はまた、各々のケース１０ａ〜１０ｎに対して、メモリ１１ａ〜１１ｎに情報を読み書きするケース通信手段１０３ａ〜１０３ｎ、および各々のケース１０ａ〜１０ｎが定位置に装着されているか否かを検出するケース装着センサ１０４ａ〜１０４ｎも有する。
【００３１】
さらに情報記録再生複合装置１００は、ＨＤＤ１３０と、コントローラ１３１、主記憶装置１３２、外部通信手段１３３とを有する。ＨＤＤ１３０は、情報記録再生複合装置１００に装着された全てのケース１０ａ〜１０ｎを一意に識別するケースＩＤと、該ケースに内蔵されたｍ枚のディスク１２ａ〜１２ｍについての管理情報と、情報記録再生複合装置１００に現在は装着されていないが過去に装着されたことのあるケースのケースＩＤおよび管理情報とを全て記憶している。
【００３２】
コントローラ１３１はマイクロプロセッサであり、主記憶装置１３２はコントローラ１３１で使用されるＲＡＭである。情報記録再生複合装置１００の動作は全てコントローラ１３１で制御されるものであるので、以下に説明する本発明にまつわる動作は、コントローラ１３１（後述の制御部１４１）で実行されるプログラムとして提供されることができる。
【００３３】
外部通信手段１３３は、ＬＡＮを介してファイルサーバ装置（図示せず）、もしくは他の情報記録再生複合装置との通信を行う。
【００３４】
図３は、図２で示したコントローラ１３１で実行される機能、およびそれに関連する情報記録再生複合装置１００内部の構成についてより詳しく示す概念図である。コントローラ１３１は、ＯＳなどのようにプログラムを実行する主体となる制御部１４１と、制御部１４１によって実行される機能である装着検出部１４２、格納情報取得部１４３、装置ＩＤ更新部１４４、管理情報更新部１４５、管理情報取得部１４６とを含む。
【００３５】
またＨＤＤ１３０には、情報記録再生複合装置１００に現在装着されている全てのケース、および過去に装着されたことのある全てのケースについて、ケースＩＤ１５１ａおよび管理情報１５１ｂを相互に対応づけて記録する管理情報ＤＢ（データベース）１５１が記憶されている。そしてＨＤＤ１３０には、自身の装置ＩＤ１５２も記憶されている。装置ＩＤ１５２は原則として書き換え不可能であり、制御部１４１からのみ参照可能である。なお、装置ＩＤ１５２はＨＤＤ１３０とは別の不揮発性記憶手段（たとえば半導体ＲＯＭなど）に記憶されていてもよい。
【００３６】
図３は、図面の錯綜の回避のために１つのケース１０ａについてのみ図示する。他のケース１０ｂ〜１０ｎについては図示を省略しているが、ケース１０ａに対してと同様の構成を有し、同様の動作が可能である。メモリ１１ａには前述のケースＩＤ２１と、装置ＩＤ２２とが記録されている。また、ケース１０ａに内蔵されたｍ枚のディスク１２ａ〜１２ｍには、前述のコンテンツ２４と、管理情報２３とが記録されている。ケースＩＤ２１は書き換え不能である。
【００３７】
装着検出部１４２は、ケース装着センサ１０４ａを介して、ケース１０ａが定位置に装着されているか否かを検出する。格納情報取得部１４３は、ケース通信手段１０３ａを介してメモリ１１ａの記憶内容を読み取り、その内容を管理情報ＤＢ１５１に記憶し、また管理情報取得部１４６に送信する。装置ＩＤ更新部１４４は、制御部１４１からの指令により、ケース通信手段１０３ａを介してメモリ１１ａに記録されている装置ＩＤ２２を書き換える。
【００３８】
管理情報更新部１４５は、制御部１４１からの指令により、光ディスクドライブ１２０ａ〜１２０ｍによって管理情報２３を更新し、また更新された管理情報２３を管理情報ＤＢ１５１に記憶する。管理情報取得部１４６は、光ディスクドライブ１２０ａ〜１２０ｍによって管理情報２３を読み取り、その内容を管理情報ＤＢ１５１に記憶する。
【００３９】
外部通信手段１３３は、ＬＡＮを介して別の情報記録再生複合装置１００Ｂとの通信を行っている。そこで取得された内容も管理情報ＤＢ１５１に反映される（詳細は後述）。情報記録再生複合装置１００Ｂは情報記録再生複合装置１００と同一の構成を有するので、詳細な構成の説明は省略する。管理情報取得部１４６は、ＬＡＮを介して接続された他の情報記録再生複合装置１００Ｂからの要求によって管理情報ＤＢ１５１から管理情報１５１ｂを読み取って要求元に送信することも可能である。
【００４０】
ファイルサーバ装置もしくはクライアント端末（いずれも図示せず）からＬＡＮを介して、ユーザが情報記録再生複合装置１００内の特定のコンテンツを要求した場合、まず制御部１４１が、該コンテンツがどのケースのどのディスクに記録されているのかを、管理情報ＤＢ１５１から検索する。検索された結果に基づき、該当するケースＩＤを持つケースをケース搬送手段１０１が搬送し、ディスク搬送手段１０２が該ケースに含まれるディスクを光ディスクドライブ１２０ａ〜１２０ｍに装着する。光ディスクドライブ１２０ａ〜１２０ｍが装着されたディスクの再生を開始して管理情報およびコンテンツを読み出す。以上の手順で、情報記録再生複合装置１００はユーザに該コンテンツを提供することができる。
【００４１】
ここで、管理情報ＤＢ１５１から検索しても該コンテンツが記録されているケースおよびディスクが存在しない場合、情報記録再生複合装置１００はその旨をユーザに通知する。また、現在装着されているケースの中には該コンテンツは存在しないが、過去に装着されていたことのあるケースの中に該コンテンツが存在するなら、そのケースＩＤ１５１ａをユーザに通知する。
【００４２】
以後、ケース１０ａのケースＩＤ２１を「Ｃ１」、情報記録再生複合装置１００の装置ＩＤ１５２を「Ｄ１」、また情報記録再生複合装置１００とネットワークを介して通信している別の情報記録再生複合装置１００Ｂの装置ＩＤを「Ｄ２」とする。
【００４３】
図４〜５は、情報記録再生複合装置１００Ｂに装着されていたケース１０ａが取り外されて情報記録再生複合装置１００に取り付けられた場合に、図２〜３に示した情報記録再生複合装置１００が行う動作について示すフローチャートである。動作開始の時点で、メモリ１１ａの装置ＩＤ２２には「Ｄ２」が記憶されている。
【００４４】
ケース１０ａが情報記録再生複合装置１００に取り付けられると、ケース装着センサ１０４ａを介して装着検出部１４２がケース装着を検出して制御部１４１に通知し、ケース装着の旨を報告された制御部１４１はステップＳ２０３以降の処理に進む（ステップＳ２０１〜２０２）。ケース装着が検出されないと、ステップＳ２０２以降の処理は行われない。
【００４５】
制御部１４１は続いて格納情報取得部１４３に、ケース通信手段１０３ａを介してメモリ１１ａに記憶されたケースＩＤ２１および装置ＩＤ２２を取得させ（ステップＳ２０３〜２０４）、メモリ１１ａから取得された装置ＩＤ２２と、情報記録再生複合装置１００自身の装置ＩＤ１５２とが一致するか否かを判断する（ステップＳ２０５）。一致すればステップＳ２１０に、しなければステップＳ２０６にそれぞれ進む。この場合は装置ＩＤ２２が「Ｄ２」、装置ＩＤ１５２が「Ｄ１」であるので、一致しないと判断されてステップＳ２０６に進む。
【００４６】
装置ＩＤが一致しない場合に制御部１４１は、メモリ１１ａから取得された装置ＩＤ２２「Ｄ２」を持つ情報記録再生複合装置（情報記録再生複合装置１００Ｂ）に対して、外部通信手段１３３およびＬＡＮを経由してケースＩＤ２１「Ｃ１」（ケース１０ａ）についての管理情報を要求する（ステップＳ２０６）。この時の情報記録再生複合装置１００Ｂの動作は後述する（図６）。
【００４７】
そして制御部１４１は、情報記録再生複合装置１００ＢからＬＡＮおよび外部通信手段１３３を経由してケースＩＤ２１「Ｃ１」（ケース１０ａ）に該当する管理情報を得ることができたか否かを判断する（ステップＳ２０７）。得ることができていればステップＳ２０９に進み、該当する管理情報が存在しない旨のエラーメッセージ（詳細は後述）を受けた場合、もしくは情報記録再生複合装置１００Ｂとの通信が成立しなかった場合はステップＳ２０８に進む。
【００４８】
情報記録再生複合装置１００ＢからケースＩＤ２１「Ｃ１」（ケース１０ａ）に該当する管理情報を得られなかった場合、制御部１４１は、ケース１０ａをケース搬送手段１０１に搬送し、ディスク１２ａ〜１２ｍをディスク搬送手段１０２によって光ディスクドライブ１２０ａ〜１２０ｍに装着し、管理情報取得部１４６が光ディスクドライブ１２０ａ〜１２０ｍによって管理情報２３を読み取る（ステップＳ２０８）。
【００４９】
ステップＳ２０７および２０８によってケースＩＤ２１「Ｃ１」に該当するケース１０ａについての管理情報を得た制御部１４１は、管理情報更新部１４５を通じて、管理情報ＤＢ１５１のケースＩＤ１５１ａおよび管理情報１５１ｂに、得られたケースＩＤ２１および得られた管理情報を各々更新または追加記録する（ステップＳ２０９）。以上で、ケース１０ａが情報記録再生複合装置１００に取り付けられた場合の初期処理は終了する。ケース１０ａにコンテンツ２４を記録する場合のみ、ステップＳ２１１以降に進む（ステップＳ２１０）。
【００５０】
ケース１０ａにコンテンツ２４が記録されると、制御部１４１は該コンテンツの内容に基づいて管理情報を生成し（ステップＳ２１１）、この管理情報を管理情報更新部１４５に渡してケース１０ａに記録させる（ステップＳ２１２）。管理情報更新部１４５はこの管理情報２３をケース１０ａの管理情報２３として記録し（ステップＳ２１３）、さらに同じ情報をケースＩＤ１５１ａ「Ｃ１」の管理情報１５１ｂとして、管理情報ＤＢ１５１にも記録する（ステップＳ２１４）。
【００５１】
ステップＳ２１４で、ケースＩＤ１５１ａに「Ｃ１」が存在しなければケースＩＤ１５１ａと管理情報１５１ｂとが一対一で対応するデータとして追加され、ケースＩＤ１５１ａに「Ｃ１」が存在していれば該ケースＩＤ１５１ａ「Ｃ１」に対応する管理情報１５１ｂが更新される。
【００５２】
そして制御部１４１は装置ＩＤ更新部１４４に、メモリ１１ａに記録された「Ｄ２」の装置ＩＤ２２を、「Ｄ１」に書き換えさせる（ステップＳ２１５）。装置ＩＤ更新部１４４は、ケース通信手段１０３ａを介してメモリ１１ａに記録されている装置ＩＤ２２を「Ｄ１」に書き換える（ステップＳ２１６）。以上で、ケース１０ａへのコンテンツ２４の記録が終了する。なお、ケース１０ａを情報記録再生複合装置１００に装着したままで複数回のコンテンツの記録が繰り返される場合は、図５（ステップＳ２１１〜２１６）の処理が各々のコンテンツに対して繰り返される。
【００５３】
図６は、情報記録再生複合装置１００から、装置ＩＤ２２「Ｄ２」を持つ情報記録再生複合装置に対してケースＩＤ２１「Ｃ１」（ケース１０ａ）についての管理情報を要求された（図４のステップＳ２０６）場合に、装置ＩＤ２２「Ｄ２」に該当する情報記録再生複合装置１００Ｂが行う動作について示すフローチャートである。情報記録再生複合装置１００Ｂは前述のように情報記録再生複合装置１００と同一の構成を有するので、図６に示す動作については、便宜上情報記録再生複合装置１００と同一の要素名と参照番号によって説明する。
【００５４】
情報記録再生複合装置１００から、ＬＡＮおよび外部通信手段１３３を経由して通信を受けた管理情報取得部１４６は（ステップＳ２５１）、まず自身の装置ＩＤ１５２「Ｄ２」と、受信した通信の宛先とが一致するか否かを確認する（ステップＳ２５２）。一致しなければこの通信には反応しない。この場合は装置ＩＤ２２「Ｄ２」宛の通信であるので、一致すると判断してステップＳ２５３に進む。
【００５５】
自ら宛の通信を受信した管理情報取得部１４６は、続いて通信の内容を読み取ってケースＩＤを抽出し、ケースＩＤ２１「Ｃ１」についての管理情報を要求されたと判断する（ステップＳ２５３）。これを受けて管理情報取得部１４６は、管理情報ＤＢ１５１に記憶されているケースＩＤ１５１ａから「Ｃ１」を検索する（ステップＳ２５４〜２５５）。
【００５６】
管理情報ＤＢ１５１にケースＩＤ１５１ａ「Ｃ１」に対応する管理情報１５１ｂがあれば、管理情報取得部１４６は外部通信手段１３３およびＬＡＮを経由し、該管理情報１５１ｂを要求元の情報記録再生複合装置１００に返信して（ステップＳ２５６）処理を終了する。ケースＩＤ１５１ａ「Ｃ１」についての管理情報１５１ｂを得られなかった場合は、該当する管理情報が存在しない旨のエラーメッセージを情報記録再生複合装置１００に返信して（ステップＳ２５７）処理を終了する。ステップＳ２５６もしくは２５７で返信された内容に基づいて、情報記録再生複合装置１００は前述のステップＳ２０７以後の処理を行う。
【００５７】
これにより、ケース１０ａが情報記録再生複合装置１００Ｂから取り外されて情報記録再生複合装置１００に取り付けられた場合にも、情報記録再生複合装置１００は情報記録再生複合装置１００Ｂからケース１０ａについての管理情報を得ることができるので、管理情報の相違は発生しない。
【００５８】
さらに、情報記録再生複合装置１００ＢからＬＡＮを介して管理情報を得るので、ケース１０ａを光ディスクドライブ１２０ａ〜１２０ｍに装着しなくても正しい管理情報を得ることができ、そのためユーザがコンテンツを要求してから該コンテンツが再生されるまでの時間を短縮できる。
【００５９】
また、ケース１０ａを情報記録再生複合装置１００から外して、その直後に同一の情報記録再生複合装置１００に取り付けた場合（この場合、管理情報は変化していないので、新たに取得する必要はない）、ステップＳ２０５でメモリ１１ａから取得された装置ＩＤ２２と、情報記録再生複合装置１００自身の装置ＩＤ１５２とが一致すると判断されるので、管理情報の外部への要求およびケース１０ａからの読み取りは行われない。従って、管理情報の取得にかかる時間を省略することができ、ユーザがコンテンツを要求してから該コンテンツが再生されるまでの時間を短縮できる。
【００６０】
本実施の形態では、管理情報ＤＢが各々の情報記録再生複合装置に記録されているので、ファイルサーバ装置などに管理情報を記憶する手段を持たせる必要はない。従って、ファイルサーバ装置は汎用的なものでよく、それ以外にも特別な装置やソフトウェアを有する必要はない。そのため低コストで本実施の形態を導入することができる。
【００６１】
万一、ケース１０ａを装着している最中の情報記録再生複合装置１００がダウンしたとしても、図５（ステップＳ２１１〜２１６）に示したようにコンテンツがケース１０ａに書き込まれるたびに管理情報２３もケース１０ａに書き込まれる。このため、ダウンして管理情報１５１ｂからのデータの読み出しも不可能になった情報記録再生複合装置１００からケース１０ａを取り出して他の情報記録再生複合装置１００Ｂに取り付けたとしても、ステップＳ２０８でケース１０ａから管理情報２３を読み取ることができるので、管理情報が失われるリスクは小さい。
【００６２】
［第２の実施の形態］
図７は、本発明の第２の実施の形態に係る情報記録再生複合装置１００Ｃで使用されるカートリッジ３００の構成を示す概念図である。カートリッジ３００は、図１で示したケース１０を複数個収納して、情報記録再生複合装置１００Ｃに装着することが可能である。カートリッジ３００が情報記録再生複合装置１００Ｃに装着されているかどうかに関わらず、個々のケース１０はカートリッジ３００から取り外しが可能である。
【００６３】
なお、情報記録再生複合装置１００Ｃの構成は、図７で示したカートリッジ３００を１個または複数個取り付け可能である点を除いては、本発明の第１の実施の形態に係る情報記録再生複合装置１００と同一である。従って図示および説明を省略する。
【００６４】
以後、カートリッジ３００にはｋ台（ｋは２以上の自然数）のケース１０が収納され、また情報記録再生複合装置１００Ｃの装置ＩＤ１５２を「Ｄ３」、情報記録再生複合装置１００Ｃと同一の構成を有し、情報記録再生複合装置１００Ｃとネットワークを介して通信している別の情報記録再生複合装置１００Ｄの装置ＩＤを「Ｄ４」とする。
【００６５】
図８〜９は、情報記録再生複合装置１００Ｄに装着されていたカートリッジ３００が取り外されて情報記録再生複合装置１００Ｃに取り付けられた場合に、本発明の第２の実施の形態に係る情報記録再生複合装置１００Ｃの制御部１４１が行う動作について示すフローチャートである。動作開始の時点で、カートリッジ３００内の全てのケース１０のメモリ１１には装置ＩＤ２２「Ｄ４」が記憶されている。
【００６６】
なお、情報記録再生複合装置１００Ｃおよび１００Ｄの各構成要素も、便宜上図２〜３に示した情報記録再生複合装置１００と同一の要素名と参照番号によって説明する。また、図８〜９に示す動作は、図４〜５に示した情報記録再生複合装置１００の動作と同一である部分を多く含むため、同一の動作には同一の参照番号を付して詳細な説明を省略する。その際、「情報記録再生複合装置１００」および「情報記録再生複合装置１００Ｂ」をそれぞれ「情報記録再生複合装置１００Ｃ」「情報記録再生複合装置１００Ｄ」に、装置ＩＤ「Ｄ１」および「Ｄ２」をそれぞれ「Ｄ３」および「Ｄ４」に読み替えるものとする。
【００６７】
カートリッジ３００が情報記録再生複合装置１００Ｃに取り付けられると、ケース装着センサ１０４ａを介して装着検出部１４２がケース装着を検出して制御部１４１に通知し、制御部１４１はまずステップＳ２０１〜２０３と同一の処理を行う。
【００６８】
ここで制御部１４１は、変数ｉ＝１と初期設定し（ステップＳ３５１）、カートリッジ３００内のｉ番目のケース１０に対してステップＳ２０４〜２０９に示した処理を行う。なお、ステップＳ２０６に示した他の情報記録再生複合装置１００Ｄにおいて行われる処理は、図６で示した動作と同一である。
【００６９】
ｉ番目のケース１０に対してステップＳ２０４〜２０９の処理が完了したら、制御部１４１はｉの値がｋ（カートリッジ３００に収納されたケース１０の総数）に到達したか否かを判断し（ステップＳ３５２）、到達していなければｉ＝ｉ＋１としてステップＳ２０４に戻って同一の処理を繰り返す。ｉの値がｋに到達していれば、制御部１４１はカートリッジ３００にコンテンツを記録するか否かを判断し（ステップＳ２１０）、記録しないならそのまま処理を終了し、記録する場合はステップＳ２１１〜２１６と同一の処理を行う。
【００７０】
以上で述べたように、カートリッジ単位であっても第１の実施の形態に係る情報記録再生複合装置１００と同様の動作ができ、同様の効果を得ることができる。
【００７１】
［第３の実施の形態］
図１０は、本発明の第３の実施の形態に係る情報記録再生複合装置５００（後述）で使用されるケース４１０の構成を示す概念図である。ケース４１０は、図１に示した本発明の第１の実施の形態に係るケース１０から、メモリ１１を省略したものである。そのため、ディスク１２ａ〜１２ｍには、コンテンツおよび管理情報に加えて、ケースＩＤおよび装置ＩＤも記録される。この点以外は、ケース４１０はケース１０と同一の構成を有する。従って、同一の要素には同一の参照番号を付して詳細な説明を省略する。
【００７２】
図１１は、本発明の第３の実施の形態に係る情報記録再生複合装置５００の構成を示す概念図である。情報記録再生複合装置５００は、複数個のケース４１０を内蔵しているが、ケース４１０にはメモリ１１が存在しないため、ケース通信手段１０３ａ〜１０３ｎも存在しない。
【００７３】
また、格納情報取得部１４３および装置ＩＤ更新部１４４は、光ディスクドライブ１２０ａ〜１２０ｍによってケース４１０内のディスク１２ａ〜１２ｍのケースＩＤ２１を読み取り、また装置ＩＤ２２を読み書きする。この点以外は、情報記録再生複合装置５００は、図２〜３に示した本発明の第１の実施の形態に係る情報記録再生複合装置１００と同一の構成を有する。従って、同一の要素には同一の参照番号を付して詳細な説明を省略する。
【００７４】
以後、情報記録再生複合装置５００に装着されたケース４１０のうちの一つであるケース４１０ａのケースＩＤ２１を「Ｃ２」、情報記録再生複合装置５００の装置ＩＤを「Ｄ５」、情報記録再生複合装置５００と同一の構成を有し、情報記録再生複合装置５００とネットワークを介して通信している別の情報記録再生複合装置５００Ｂの装置ＩＤを「Ｄ６」とする。
【００７５】
図１２〜１３は、情報記録再生複合装置５００Ｂに装着されていたケース４１０ａが取り外されて情報記録再生複合装置５００に取り付けられた場合に、図１１に示した情報記録再生複合装置５００の制御部１４１が行う動作について示すフローチャートである。動作開始の時点で、ディスク１２ａ〜１２ｍの装置ＩＤ２２には「Ｄ６」が記憶されている。
【００７６】
なお、情報記録再生複合装置５００Ｂの各構成要素も、便宜上図１１に示した情報記録再生複合装置５００と同一の要素名と参照番号によって説明する。また、図１２〜１３に示す動作は、図４〜５に示した情報記録再生複合装置１００の動作と同一である部分を多く含むため、同一の動作には同一の参照番号を付して詳細な説明を省略する。その際、「情報記録再生複合装置１００」および「情報記録再生複合装置１００Ｂ」をそれぞれ「情報記録再生複合装置５００」「情報記録再生複合装置５００Ｂ」に、装置ＩＤ「Ｄ１」および「Ｄ２」をそれぞれ「Ｄ５」および「Ｄ６」に、ケースＩＤ「Ｃ１」を「Ｃ２」に読み替えるものとする。
【００７７】
ケース４１０ａが情報記録再生複合装置５００に取り付けられると、ケース装着センサ１０４ａを介して装着検出部１４２がケース装着を検出して制御部１４１に通知し、制御部１４１はまずステップＳ２０１〜２０３と同一の処理を行う。
【００７８】
ここで制御部１４１は、ケース４１０ａをケース搬送手段１０１に搬送し、ディスク１２ａ〜１２ｍをディスク搬送手段１０２によって光ディスクドライブ１２０ａ〜１２０ｍに装着する（ステップＳ６０１）。ステップＳ２０４は、管理情報取得部１４６が光ディスクドライブ１２０ａ〜１２０ｍによってケースＩＤ２１および装置ＩＤ２２を読み取る動作となる。
【００７９】
以後制御部１４１は、ステップＳ２０５〜２１６と同一の処理を行う。ただしステップＳ２０８は、既に前述のステップＳ６０１によってディスク１２ａ〜１２ｍが装着されているので、該ディスクから管理情報２３を読み取るのみになる。なお、ステップＳ２０６に示した他の情報記録再生複合装置５００Ｂにおいて行われる処理は、図６で示した動作と同一である。
【００８０】
以上で述べたように、メモリ１１が存在しないケース４１０であっても第１の実施の形態に係る情報記録再生複合装置１００と同様の動作ができ、ケース４１０ａが情報記録再生複合装置５００Ｂから取り外されて情報記録再生複合装置５００に取り付けられた場合にも正しい管理情報を得ることができるという効果を得ることができる。
【００８１】
また、ケース４１０ａからケースＩＤ２１および装置ＩＤ２２のみを読み取る処理の方が、同じケース４１０ａから管理情報２３を読み取る処理よりも短時間で済むので、第１の実施の形態の場合ほどではないにしろ、ユーザがコンテンツを要求してから該コンテンツが再生されるまでの時間を短縮できるという効果は得られる。もちろん、ケース４１０は、第１の実施の形態に係るケース１０ａからメモリ１１を省略しているので、ケースをより安価に製造できるという利点もある。
【００８２】
なお、以上で説明した各々の実施の形態は、ケース搬送手段およびディスク搬送手段を有する情報記録再生複合装置だけでなく、ケースを情報記録再生複合装置に手動で装着する装置にも適用できる。また、１つのケースのみを装着可能な情報記録再生複合装置、もしくは１枚のディスクのみを収納するケースについても、上記の各々の実施の形態を適用できる。さらに、１つのケースに収容可能なディスクの枚数と、光ディスクドライブによって一度に読み書きできるディスクの枚数とが一致していなくてもよい。
【００８３】
これまで本発明について図面に示した特定の実施の形態をもって説明してきたが、本発明は図面に示した実施の形態に限定されるものではなく、本発明の効果を奏する限り、これまで知られたいかなる構成であっても採用することができることは言うまでもないことである。
【産業上の利用可能性】
【００８４】
同一のケースもしくはカートリッジが複数の装置に移動しうる情報記録再生複合装置において利用可能である。特に、多くのケースおよびディスクを扱う情報記録再生複合装置に適している。
【図面の簡単な説明】
【００８５】
【図１】本発明の第１の実施の形態に係る情報記録再生複合装置で使用されるケースの構成を示す概念図である。
【図２】本発明の第１の実施の形態に係る情報記録再生複合装置構成を示す概念図である。
【図３】図２で示したコントローラで実行される機能、およびそれに関連する情報記録再生複合装置内部の構成についてより詳しく示す概念図である。
【図４】別の情報記録再生複合装置に装着されていたケースが取り外されて情報記録再生複合装置に取り付けられた場合に、図２〜３に示した情報記録再生複合装置が行う動作について示すフローチャートである。
【図５】図４の続きである。
【図６】他の情報記録再生複合装置から、特定のケースＩＤについての管理情報を要求された場合に、情報記録再生複合装置が行う動作について示すフローチャートである。
【図７】本発明の第２の実施の形態に係る情報記録再生複合装置で使用されるカートリッジの構成を示す概念図である。
【図８】別の情報記録再生複合装置に装着されていたカートリッジが取り外されて情報記録再生複合装置に取り付けられた場合に、本発明の第２の実施の形態に係る情報記録再生複合装置が行う動作について示すフローチャートである。
【図９】図８の続きである。
【図１０】本発明の第３の実施の形態に係る情報記録再生複合装置で使用されるケースの構成を示す概念図である。
【図１１】本発明の第３の実施の形態に係る情報記録再生複合装置の構成を示す概念図である。
【図１２】別の情報記録再生複合装置に装着されていたケースが取り外されて情報記録再生複合装置に取り付けられた場合に、図１１に示した情報記録再生複合装置が行う動作について示すフローチャートである。
【図１３】図１２の続きである。
【図１４】従来技術に係る情報記録再生複合装置の構成を示す概念図である。
【図１５】複数台の図１４に示した情報記録再生複合装置の間でケースが移動する例を示す概念図である。
【符号の説明】
【００８６】
１０、１０ａ、１０ｂ、１０ｎ、４１０、４１０ａ  ケース
１１、１１ａ  メモリ
１２ａ、１２ｍ  ディスク
１３ａ、１３ｍ  取り出し口
２１  ケースＩＤ
２２  装置ＩＤ
２３  管理情報
２４  コンテンツ
１００、１００Ｂ、１００Ｃ、１００Ｄ、５００、５００Ｂ  情報記録再生複合装置
１０１  ケース搬送手段
１０２  ディスク搬送手段
１０３ａ、１０３ｎ  ケース通信手段
１０４ａ、１０４ｎ  ケース装着センサ
１２０ａ、１２０ｎ  光ディスクドライブ
１３０  ＨＤＤ
１３１  コントローラ
１３２  主記憶装置
１３３  外部通信手段
１４１  制御部
１４２  装着検出部
１４３  格納情報取得部
１４４  装置ＩＤ更新部
１４５  管理情報更新部
１４６  管理情報取得部
１５１  管理情報ＤＢ
１５１ａ  ケースＩＤ
１５１ｂ  管理情報
１５２  装置ＩＤ
３００  カートリッジ
【図１】
2010003337.tif 000003
【図２】
2010003337.tif 000004
【図３】
2010003337.tif 000005
【図４】
2010003337.tif 000006
【図５】
2010003337.tif 000007
【図６】
2010003337.tif 000008
【図７】
2010003337.tif 000009
【図８】
2010003337.tif 000010
【図９】
2010003337.tif 000011
【図１０】
2010003337.tif 000012
【図１１】
2010003337.tif 000013
【図１２】
2010003337.tif 000014
【図１３】
2010003337.tif 000015
【図１４】
2010003337.tif 000016
【図１５】
2010003337.tif 000017